(57)【特許請求の範囲】
【請求項１】
点灯装置や光源を備えた器具本体を壁面に取り付け、この器具本体を縦断面略コ字状のカバーで覆った壁付照明器具において、カバーを、器具本体の上方を覆うカバー上面と、器具本体の前方を覆うカバー前面と、器具本体の下方を覆うカバー下面とで構成し、人の存在の有無を検知して点灯装置を通じて光源を発光させるセンサを器具本体の下面に下方且つ壁面側に向けて設け、カバー上面の壁面側端部に回動止め部を設けると共に、カバー下面の壁面側端部に回動中心部を設けて、器具本体の下部に合わせた回動中心部を中心にしてカバーを上方に回動させて回動止め部を器具本体の上部に当てた状態でカバーを器具本体に取り付け、カバー下面にセンサの設置面積と同じ開口面積の挿通孔を設けてこの挿通孔にセンサを位置したことを特徴とする壁付照明器具。
【請求項２】
上記センサは器具本体に設けた弾性変形可能な取り付け部に装着したことを特徴とする請求項１に記載の壁付照明器具。
【請求項３】
上記センサと器具本体との間に位置決め調節機構を介装したことを特徴とする請求項１に記載の壁付照明器具。
【請求項４】
上記センサは赤外線検知センサであることを特徴とする請求項１に記載の壁付照明器具。
【発明の詳細な説明】
【０００１】
【発明の属する技術分野】
本発明は、カバーの下面にセンサを臨ませる壁付照明器具に関する発明であって、詳しくは照明器具の外観を損なうことなくカバーの器具本体への着脱を容易にする技術に関する発明である。
【０００２】
【従来の技術】
従来から、点灯装置２や光源３を備えた器具本体１を天井近傍の壁面４に取り付け、この器具本体１を縦断面略コ字状のカバー５で覆った壁付照明器具には、図５に示すように、器具本体１の下面にセンサ６’が下方に向けて設けられると共に、カバー５の下面には上記センサ６’を位置させる挿通孔７’が設けられたものがある。この壁付照明器具においてカバー５を器具本体１に取り付けるにあたっては、カバー５が縦断面略コ字状に形成されているため、カバー５を器具本体１の下方から上方にスライドさせて行うとカバー５の上面部分が器具本体１に引っ掛かってしまい、同様にカバー５を器具本体１の上方から下方にスライドさせて行うとカバー５の下面部分が器具本体１に引っ掛かってしまうことから、この例ではカバー５を器具本体１に斜め上方からスライドさせて行わせている（矢印Ｄ）。しかしながら、天井近傍の壁面４に設置した壁付照明器具では、上述したカバー５を斜め上方から器具本体１にスライドして取り付ける施工作業はスペースが無くて行いにくいものであり、また施工者に無理な体勢での作業を強いることになるため、好ましいものではなかった。
【０００３】
また、カバー５を斜め上方から器具本体１にスライドさせる施工作業によってカバー５を器具本体１へ取り付ける際には、センサ６’を挿通孔７’に位置させるように行われなければならないものであり、すなわち挿通孔７’はセンサ６’をスライドさせて導入すると共に所定位置に位置できるようにしなければならないことから、カバー５の下面の壁面側端部を切り欠いて形成されている。しかしながら、天井近傍の壁面４に設置した壁付照明器具はカバー５の下面の外観がそのまま壁付照明器具の外観を形成するため、切り欠き状の挿通孔７’が壁付照明器具の外観に現れてしまい、壁付照明器具の外観としては悪いものであり、好ましいものではなかった。
【０００４】
【発明が解決しようとする課題】
そこで、センサ６’を挿通孔７’に位置させつつ器具本体１の下側からカバー５を器具本体１に覆わせるような施工を行うと共に、挿通孔７’を孔形状に形成して壁付照明器具の外観を向上させることを考えるに至った。上記器具本体１の下側から縦断面コ字状のカバー５を覆わせる施工作業は、具体的にはカバー５の下面の壁面側端部を器具本体１の下部に位置させ、そしてこのカバー５の下面の壁面側端部を回動中心にしてカバー５を上方に回動させ、器具本体１の下方からカバー５を覆い被せるといった施工作業である（図３参照）。しかしながら、器具本体１から下方に向けて設けたセンサ６’はカバー５の回動方向にずれた方向を向いて設けられていることから、カバー５の孔状の挿通孔（図視せず）の開口面積には挿通孔内のセンサ６’の設置面積以外にセンサ６’が挿通孔内で回動するのに必要な面積を設けねばならないものであり、しかして挿通孔はセンサ６’に比べて大きく形成しなければならず、挿通孔内には設置したセンサ６’以外の部分に隙間を生じさせてしまい、上記隙間からはカバー５の内部が見えてしまうことから、壁付照明器具の外観は悪化してしてしまうのであった。このように、器具本体１の下方からカバー５を覆い被せる施工作業と壁付照明器具の外観の向上とを同時に得ることはできないのが現状であった。
【０００５】
本発明は、その目的とするところは、センサの検知範囲を特定すると共に、照明器具の外観を損なうことなくカバーの器具本体への着脱を容易に行うことができる壁付照明器具を提供することを課題とするものである。
【０００６】
【課題を解決するための手段】
上記課題を解決するために本発明に係る壁付照明器具は、点灯装置２や光源３を備えた器具本体１を壁面４に取り付け、この器具本体１を縦断面略コ字状のカバー５で覆った壁付照明器具において、カバー５を、器具本体１の上方を覆うカバー上面５ａと、器具本体１の前方を覆うカバー前面５ｂと、器具本体１の下方を覆うカバー下面５ｃとで構成し、人の存在の有無を検知して点灯装置２を通じて光源３を発光させるセンサ６を器具本体１の下面に下方且つ壁面側に向けて設け、カバー上面５ａの壁面側端部に回動止め部１３を設けると共に、カバー下面５ｃの壁面側端部に回動中心部１４を設けて、器具本体１の下部に合わせた回動中心部１４を中心にしてカバー５を上方に回動させて回動止め部１３を器具本体１の上部に当てた状態でカバー５を器具本体１に取り付け、カバー下面５ｃにセンサ６の設置面積と同じ開口面積の挿通孔７を設けてこの挿通孔７にセンサ６を位置したことを特徴とする。これにより、下方且つ壁面側に向けて設けたセンサ６にあっては構造的にセンサ６の検知範囲を特定することができるものであり、更に、カバー下面５ｃの壁面側端部（回動中心部１４）を器具本体１の下部に位置させると共に上記カバー下面５ｃの壁面側端部（回動中心部１４）を回動中心にして上方にカバー５を回動させ、下方から覆い被せるようにカバー５を器具本体１に取り付けるときには、下方且つ壁面側に向けて設けたセンサ６がカバー５の上方への回動方向と同一方向を向くものであるから、カバー５の回動に伴ってセンサ６を挿通孔７に貫通させるように位置させることができ、カバー５の器具本体１への着脱が滞りなく容易に行えるものであり、同時に、挿通孔７の開口面積においてカバー５の回動時にセンサ６を挿通孔７内で回動させるのに必要な面積がいらない、つまり挿通孔７の開口面積が挿通孔７内のセンサ６の設置面積だけで済むようにでき、カバー５を器具本体１に取り付けた状態で挿通孔７にセンサ６をぴったり位置させることができるので、センサ６が挿通孔７に隙間無くすっきりと収納されて照明器具の外観が向上するものである。
【０００７】
また、上記センサ６は器具本体１に設けた弾性変形可能な取り付け部に装着したことも好ましい。これによると、カバー５の下面の壁面側端部を器具本体１の下部に位置させると共に上記カバー５の下面の壁面側端部を回動中心にして上方に回動させ、下方から覆い被せるようにカバー５を器具本体１に取り付けたときに、回動するカバー５にセンサ６が当ってしまっても、その衝撃を弾性変形可能な取り付け部で吸収させることができることから、センサ６の破損等を防止できると共に、弾性変形した取り付け部の弾性反力によってセンサ６を挿通孔７に嵌め込ませることも行い得ることから、カバー５の器具本体１への取り付け施工性の向上も図ることができるのである。
【０００８】
また、上記センサ６と器具本体１との間に位置決め調節機構を介装したことも好ましい。これによると、位置決め調節機構で挿通孔７に対するセンサ６の位置調整を行うことができ、カバー５の器具本体１への取り付けを更に容易に行わせることができるのである。
【０００９】
また、上記センサ６は赤外線検知センサであることが好ましい。これによると、壁付照明器具の低コスト化を図ることができるのである。
【００１０】
【発明の実施の形態】
以下、本発明を添付図面に示す実施形態に基づいて説明する。
【００１１】
図１乃至図３に本発明の実施の形態の例を示す。図２には壁付照明器具の分解斜視図を示すが、この壁付照明器具は、点灯装置２やセンサ６や光源３を設置して壁面４に沿わせて取り付ける器具本体１と、器具本体１と光源３との間に配置して光源３が後方に発した光をも前方に反射させるようにした反射板８と、器具本体１の上下及び前方を覆うような縦断面略コ字状のカバー５とで構成される装置である。そしてこの壁付照明器具は、天井付近の壁面４、つまり壁面４の上方部分に設置され、センサ６で人の存在の有無を検知して点灯装置２を通じて光源３を発光させるといった機能を有した装置である。以下、詳述する。
【００１２】
器具本体１は、壁面４に沿わせる底片１ａと、上記底片１ａの上端を前方に屈曲させて形成した上片１ｂと、上記底片１ａの下端を前方に屈曲させて形成した下片１ｃとからなる左右方向に長いチャンネル材で構成されている。そして、この器具本体１の底片１ａの左右端部には、器具本体１の前方位置に光源３を支持すると共に上記光源３に通電させる端子を備えた光源支持具９がそれぞれ設けられており、また器具本体１の底片１ａの左右方向における略中央部には、センサ６が弾性変形可能な取り付け部を介して下方且つ壁面側に向くように設置されている。ここで、光源３は左右両端に端子を備えた直管蛍光灯で構成されており、また、取り付け部は底片１ａの下部位置から前方且つ斜め下方に傾けて突出した上下方向に弾性変形可能な金属製の板片１０で構成されている。そして、上記板片１０の突出先端部分の下面にセンサ６を設置することで、センサ６は壁面４の前方位置に配置された光源３の下方位置で下方且つ壁面側に向くように設置されている。なお、このセンサ６は人感センサであって具体的に本例では赤外線検知センサで構成されている。
【００１３】
また反射板８は、光源３の後方位置において前方に面を形成する前面片８ａと、上記前面片８ａの上端から後方且つ斜め上方に突出した上面片８ｂと、上記前面片８ａの下端から後方且つ斜め下方に突出した下面片８ｃとから構成された左右方向に長いチャンネル状の部材である。この反射板８は、前面片８ａの長手方向の端部である左右端部を器具本体１の１対の光源支持具９にそれぞれビス止めさせ、光源３の後方位置で器具本体１を前方から覆うように取り付けられる。ここで、反射板８の上面片８ｂ及び下面片８ｃには、反射板８を器具本体１に取り付けた際に器具本体１の上片１ｂ及び下片１ｃの突出先端部分を当接させる段部１１がそれぞれ設けられている。この段部１１は、反射板８を器具本体１に取り付けた状態で、反射板８の上面片８ｂ及び下面片８ｃにおける段部１１より後方部分に弾性を備えさせるものなのである。また、下面片８ｃの左右方向の略中央部にはセンサ６を先端に設置した板片１０を位置させる切欠１２が形成されている。
【００１４】
またカバー５は、器具本体１の上下及び前方を覆うような透光性を有した部材である。本例のカバー５は、器具本体１の上方を覆うカバー上面５ａと、器具本体１の前方を覆うカバー前面５ｂと、器具本体１の下方を覆うカバー下面５ｃとで構成された左右方向に長い縦断面略コ字状の部材である。カバー上面５ａの壁面側端部には、前方且つ斜め下方に折り曲げた上折曲部１３ａと、上記上折曲部１３ａの前端部分を更に下方に折り曲げた上爪部１３ｂとからなる回動止め部１３を設けており、また、カバー下面５ｃの壁面側端部には前方且つ斜め上方に折り曲げた下折曲部１４ａと、上記下折曲部１４ａの前端部分を更に上方に折り曲げた下爪部１４ｂとからなる回動中心部１４を設けている。この回動止め部１３及び回動中心部１４はそれぞれ上下且つ前後方向の弾性を備えている。また、カバー下面５ｃにはカバー５を器具本体１に取り付けた際にセンサ６を位置させる孔状の挿通孔７を設けてある。この挿通孔７の開口面積は挿通孔７に位置させるセンサ６の設置面積と略同じ大きさに形成されている。なお、カバー５の形状は本例では縦断面略コ字状に形成されているが、カバー５としては器具本体１の上下及び前面を覆う機能を有した形状のものであればよく、例えば縦断面円弧状に形成されたものでもよいのである。また、このカバー５の周囲にはカバー５を剛性補強する枠体１５が取り付けられている。具体的にこの枠体１５は、左右端部に設けた１対の側壁部１５ａと、上記１対の側壁部１５ａ間を連結する桟状の上枠部１５ｂ及び下枠部１５ｃとで構成されるものである。そして、この枠体１５は、１対の側壁部１５ａをそれぞれカバー５の左右端部に蓋をするように連結させ、上枠部１５ｂをカバー上面５ａの壁面側端部に沿わせて連結させると共に下枠部１５ｃをカバー下面５ｃの壁面側端部に沿わせて連結させるようにして、カバー５に取り付けされている。
【００１５】
上述したカバー５を器具本体１に取り付けるにあたっては、従来技術で述べたように、壁付照明装置は天井付近の壁面４に設置されることから、センサ６を挿通孔７に位置させつつ器具本体１の下側からカバー５を器具本体１に覆わせるように取り付け施工を行うことが容易な施工性を確保できて好ましい。本例でも、図３に示すように、カバー５は器具本体１の下側から覆うようにして器具本体１に取り付けされるのである。具体的に、まずカバー下面５ｃの壁面側端部を器具本体１の下部に位置させ（矢印Ａ）、次にこのカバー下面５ｃの回動中心部１４を反射板８の下面片８ｃに合わせるようにして上記回動中心部１４を回動中心にしてカバー５を上方に回動させ（矢印Ｂ）、そしてカバー５の回動止め部１３を反射板８の上面片８ｂに合わせるように当接させて器具本体１をカバー５で覆い被し、カバー５に取り付けた枠体１５の側壁部１５ａと光源支持具９とをビス止めし、カバー５が器具本体１に取り付けられるのである（カバー５を器具本体１に取り付けた状態は図１に示す）。
【００１６】
このカバー５の回動動作の中ではカバー５の挿通孔７にセンサ６が上記挿通孔７を貫通させるように位置される。ここで、本例のセンサ６は下方且つ壁面側に向けて設けられたものであるから、センサ６はカバー５の回動方向と同一方向を向いているものであり、しかして上方に回動させたカバー５の挿通孔７にはスムーズにセンサ６の下端を位置させることができ、そしてカバー５の挿通孔７にセンサ６の下端が挿入された後にカバー５をそのまま上方に回動させても、センサ６は挿通孔７内で回動せずに上記挿通孔７を貫通する方向に位置をずらすような動作を行うのである。したがって、本例のように挿通孔７の開口面積がセンサ６の設置面積と略同じ大きさに形成されたとしても挿通孔７の縁にセンサ６を引っ掛けることなくカバー５を回動させることができ、つまりカバー５を滞りなく回動させて器具本体１に取り付けすることができるのである。更に言うと、センサ６は弾性変形可能な板片１０に設置されていることから、所定位置から微妙に位置ずれした状態でカバー５を回動させた際にカバー５の挿通孔７の縁にセンサ６を当接させるようなことがあっても、その当接にかかる衝撃を弾性変形可能な板片１０に吸収させることができ、センサ６にかかる衝撃を和らげることができることからセンサ６の破損の防止が図られているものであり、同時に、弾性変形した板片１０の弾性反力によってセンサ６を挿通孔７に嵌め込ませることも行い得ることから、カバー５の器具本体１への取り付け施工性の向上も図られているのである。
【００１７】
一方、カバー５を器具本体１から取り外す作業は、上記カバー５を器具本体１に取り付ける手順と逆の手順で行われるものであり、つまりカバー５と器具本体１とのビス止め（枠体１５の側壁部１５ａと光源支持具９とのビス止め）を解除し、カバー下面５ｃの回動中心部１４を回動中心としてカバー５を下方に回動させる、といった手順で行われる。このときにも、カバー５の挿通孔７に位置していたセンサ６は回動するカバー５に伴って挿通孔７から滞りなく外れるものであり、カバー５の器具本体１からの取り外しも上述したカバー５の器具本体１への取り付け同様に滞りなく行わせることができるのである。
【００１８】
上述したようにセンサ６を下方且つ壁面側に向けて設けたことで、回動させるカバー５に伴って上記センサ６を挿通孔７の貫通方向にずらすようにできたことは、裏を返せば、挿通孔７の開口面積において従来必要とされていたカバー５の回動に伴うセンサ６の挿通孔７内での回動を確保するような面積を設けないで済むようにできる、つまり挿通孔７をその開口面積が挿通孔７内に位置させるセンサ６の設置面積と同程度の小さい開口面積の孔に形成することができるのであり、しかしてカバー５を器具本体１に取り付けた際には、センサ６の設置面積と同程度の小さい孔状に形成された挿通孔７にセンサ６をぴったり位置させることができるので、挿通孔７からカバー５の内部が見えてしまうことが無く、センサ６が挿通孔７に隙間無くすっきりと収納され、壁付照明器具に良好な外観を現出させることができるのである。
【００１９】
また、カバー５を器具本体１に取り付けた際には、回動中心部１４の下爪部１４ｂが反射板８の下面片８ｃの段部１１を後方に押さえるように弾接すると共に回動止め部１３の上爪部１３ｂが反射板８の上面片８ｂの段部１１を後方に押さえるように弾接することから、器具本体１に取り付けたカバー５は反射板８を器具本体１の方向に押圧するものであり、反射板８の器具本体１への取り付け強度の向上が図られているのである。また、カバー５の回動中心部１４の下折曲部１４ａは反射板８の下面片８ｃの段部１１よりも後方部分に弾接され、また、カバー５の回動止め部１３の上折曲部１３ａは反射板８の上面片８ｂの段部１１よりも後方部分に弾接されることから、カバー５を器具本体１に回動させたときに枠体１５の側壁部１５ａと光源支持具９とがビス止めできない程に位置がずれて配置されてしまっても、上記弾接されるカバー５の回動中心部１４及び回動止め部１３や反射板８の下面片８ｃ及び上面片８ｂの各々の弾性によって枠体１５の側壁部１５ａと光源支持具９との位置ズレを吸収させることができ、しかして枠体１５の側壁部１５ａと光源支持具９とのビス止めを確実に行わせることが図られているのである。
【００２０】
なお、センサ６を下方且つ壁面側に向けて設けたことは、上述したように、カバー５を器具本体１に取り付ける際に挿通孔７に滞りなくセンサ６を位置させるといった施工性の向上や、器具本体１にカバー５を取り付けたときに挿通孔７に隙間無くセンサ６を位置させるといった壁付照明装置の外観の向上に資するものではあるが、センサ６を下方且つ壁面側に向けて設けたこと自体にも意味のあるものであり、つまり器具本体１にカバー５を取り付けたときには下方且つ壁面側に向いた状態でセンサ６が挿通孔７に位置することから、構造的にセンサ６の検知範囲を壁面周辺に特定させることができるといった利点がある。従って、壁付照明器具の設置箇所により、赤外線検知センサがその検知範囲が大きくて特定されないことを理由にセンサ６として使用できなかった場合においても、本例の壁付照明器具では構造的にセンサ６の検知範囲を壁面周辺に特定させることができることから、このような場合に従来センサとして使用されていた測距センサに代えて赤外線検知センサを使用することができるのである。ここで、赤外線検知センサは測距センサに比べてコスト安であるから、センサ６として赤外線検知センサを用いた壁付照明器具はセンサ６として測距センサを用いた壁付照明器具に比べてコストが安くできるのである。しかして、下方且つ壁面側に向けたセンサ６として赤外線検知センサを用いることは、設置可能箇所を限定されないといった利点を有する壁付照明器具の低コスト化を図ることができるものなのである。
【００２１】
上述した理由で、例えば、赤外線検知センサをセンサ６として用いた壁付照明装置を洗面化粧台のミラーの上部照明として使用するのが好ましいものである。つまり、従来から洗面化粧台のミラーの上部照明ではセンサ６で人を感知して光源３を点灯させることが行われていたが、照明器具から下向きに設けられたセンサ６の検知範囲は大きいものであるから、センサ６として赤外線検知センサを用いると洗面化粧台から遠い位置にいる人をも検知して光源３を点灯させてしまうといった照明装置の誤作動を引き起こしてしまうものであった。しかして従来では照明装置の誤作動を避ける為にはセンサ６として赤外線検知センサよりもコスト高ではあるが検知範囲が小さい特性を有する測距センサを用いざるを得ないものであった。従って、従来測距センサを用いざるを得なかったミラーの上部照明に本例の赤外線検知センサをセンサ６として用いた壁付照明器具を設置することは、コストをかけないでも誤作動のないミラー照明を提供できるものなのである。
【００２２】
また、図４には本発明の実施の形態の他例を示す。この例はセンサ６の設置位置をずらすことを可能とする位置決め調節機構を器具本体１とセンサ６との間に介装した例である。具体的に、上記位置決め調節機構は、板片１０を前端部分にセンサ６を設置した前半板部１０ａと器具本体１に一体にした後半板部１０ｂとに２分割し、後半板部１０ｂの前端部分に前半板部１０ａの後端部分を重ね合わせてピン結合して構成されたものである。つまり、センサ６が設置された前半板部１０ａは上記ピン結合した部分を回動中心にして固定された後半板部１０ｂに対して回動自在にされているのである。しかして、前半板部１０ａを回動させる（矢印Ｃ）と前半板部１０ａの前端部分に設置したセンサ６は水平方向に位置をずらせることができるのである。これによると、上記位置決め調節機構によって挿通孔７の位置に合わせるようにセンサ６の位置調整を行うことができ、カバー５の器具本体１への取り付けを更に容易に行い得るようにできるのである。
【００２３】
【発明の効果】
上記のように本発明の請求項１記載の発明にあっては、点灯装置や光源を備えた器具本体を壁面に取り付け、この器具本体を縦断面略コ字状のカバーで覆った壁付照明器具において、カバーを、器具本体の上方を覆うカバー上面と、器具本体の前方を覆うカバー前面と、器具本体の下方を覆うカバー下面とで構成し、人の存在の有無を検知して点灯装置を通じて光源を発光させるセンサを器具本体の下面に下方且つ壁面側に向けて設け、カバー上面の壁面側端部に回動止め部を設けると共に、カバー下面の壁面側端部に回動中心部を設けて、器具本体の下部に合わせた回動中心部を中心にしてカバーを上方に回動させて回動止め部を器具本体の上部に当てた状態でカバーを器具本体に取り付け、カバー下面にセンサの設置面積と同じ開口面積の挿通孔を設けてこの挿通孔にセンサを位置したので、下方且つ壁面側に向けて設けたセンサにあっては構造的にセンサの検知範囲を特定することができるものであり、更に、カバー下面の壁面側端部（回動中心部）を器具本体の下部に位置させてカバー下面の壁面側端部（回動中心部）を回動中心にして上方にカバーを回動させるようにしてカバーを器具本体にその下方から覆い被せるように取り付けるときには、下方且つ壁面側に向けて設けたセンサがカバーの上方への回動方向と同一方向を向くものであるから、カバーの回動に伴ってセンサを挿通孔に貫通させるように位置させることができ、カバーの器具本体への着脱が滞りなく容易に行えるものであり、同時に、挿通孔の開口面積においてカバーの回動時にセンサを挿通孔内で回動させるのに必要な面積がいらない、つまり挿通孔の開口面積が挿通孔内のセンサの設置面積だけで済むようにでき、しかしてカバーを器具本体に取り付けた状態で挿通孔にセンサをぴったり位置させることができるので、センサが挿通孔に隙間無くすっきりと収納されて照明器具の外観を向上させることができるのである。
【００２４】
また、請求項２記載の発明にあっては、請求項１の効果に加えて、上記センサは器具本体に設けた弾性変形可能な取り付け部に装着したので、回動するカバーにセンサが当ってしまっても、その衝撃を弾性変形可能な取り付け部で吸収させることができることから、センサの破損等の防止が図られると共に、弾性変形した取り付け部の弾性反力によってセンサを挿通孔に嵌め込ませることもできることから、カバーの器具本体への取り付けにおける施工性の向上も図ることができるのである。
【００２５】
また、請求項３記載の発明にあっては、請求項１の効果に加えて、上記センサと器具本体との間に位置決め調節機構を介装したので、位置決め調節機構で挿通孔に対するセンサの位置調整を行うことができてセンサを確実に挿通孔に位置させることができるものであり、つまりカバーの器具本体への取り付けを更に容易に行わせることができるのである。
【００２６】
また、請求項４記載の発明にあっては、請求項１の効果に加えて、上記センサは赤外線検知センサであるので、上述したように下方且つ壁面に向けたセンサは構造的に検知範囲を特定できることから、広い検知範囲を有する特性をもつ赤外線検知センサをセンサとして用いてもその検知範囲を特定することができるものである。従って、例えば洗面化粧台のミラー照明として壁付照明器具を設置する場合などの赤外線検知センサがその検知範囲が大きくて特定されないことを理由にセンサとして使用できなかった場合においても、上記理由により、このような場合に従来センサとして使用されていた測距センサに代えて赤外線検知センサを使用することができるのである。ここで、赤外線検知センサは測距センサに比べてコスト安であるから、センサとして赤外線検知センサを用いた壁付照明器具はセンサとして測距センサを用いた壁付照明器具に比べてコストが安くできるのである。しかして、下方且つ壁面側に向けたセンサとして赤外線検知センサを用いることは、設置可能箇所が限定されないといった利点を有する壁付照明器具の低コスト化を図ることができるものなのである。
【図面の簡単な説明】
【図１】本発明の実施の形態の例の壁面に壁付照明器具を設置した状態の（カバーの枠体の側壁部を透視した）側面図である。
【図２】同上の壁付照明器具の分解斜視図である。
【図３】同上のカバーの器具本体への取り付けを説明する説明図である。
【図４】本発明の実施の形態の他例の位置決め調節機構を示す下面図である
【図５】従来技術のカバーの器具本体への取り付けを説明する説明図である。
【符号の説明】
１  器具本体
２  点灯装置
３  光源
４  壁面
５  カバー
６  センサ
７  挿通孔
８  反射板
１０  板片
１３  回動止め部
１４  回動中心部
【図１】
0004066649.tif 000002
【図２】
0004066649.tif 000003
【図３】
0004066649.tif 000004
【図４】
0004066649.tif 000005
【図５】
0004066649.tif 000006